(57)【要約】【課題】イカをより確実かつ容易に捕獲できる掬い具を提供する。【解決手段】柄２の先端に基端１１が取着されて柄２の延長方向へ延びる棒状の主枝部材１と、当該主枝部材１の先端外周の周方向複数位置に主枝部材１を含む面内で回動自在に基端３１が連結され、それぞれの自重ないしこれに印加される荷重に応じて互いに独立に、主枝部材１の延長方向における所定の角度位置と、反転させられて主枝部材１に沿う収納位置との間で回動させられる複数の棒状の支枝部材３と、各支枝部材３が反転し収納位置まで回動した状態で主枝部材１の周面に向くように各支枝部材３の少なくとも先端に取り付けられた鉤部材５とを備える。【選択図】        図１
2013223434.tif 000002
【特許請求の範囲】
【請求項１】
柄の先端に基端が取着されて柄の延長方向へ延びる棒状の主枝部材と、当該主枝部材の先端外周の周方向複数位置に前記主枝部材を含む面内で回動自在に基端が連結され、それぞれの自重ないしこれに印加される荷重に応じて互いに独立に、前記主枝部材の延長方向における所定の角度位置と、反転させられて前記主枝部材に沿う収納位置との間で回動させられる複数の棒状の支枝部材と、各支枝部材が反転し収納位置まで回動した状態で前記主枝部材の周面に向くように前記各支枝部材の少なくとも先端に取り付けられた鉤部材とを備える掬い具。
【請求項２】
前記主枝部材の先端部外周に回転可能に円環状支持部材を嵌装し、当該支持部材に前記各支枝部材の基端を連結した請求項１に記載の掬い具。
【請求項３】
前記各支枝部材の長手方向に複数の前記鉤部材を取り付けた請求項１又は２に記載の掬い具。
【発明の詳細な説明】
【技術分野】
【０００１】
本発明は、釣った獲物を捕獲する際に使用される掬い具、特に、イカを掬うのに適した掬い具に関する。
【背景技術】
【０００２】
従来から、釣りで使用される掬い具は、その獲物の種別によって網で掬うものと、鉤部材に獲物を引っ掛けて掬うものが使い分けられている。獲物が魚であれば網式の掬い具が主に使われるが、獲物がイカ等の場合には鉤式の掬い具が使われることが多い。鉤式の掬い具が好まれるのは、鉤部材でイカを引っ掛けて捕獲する方が、イカが暴れて網から足を出して逃げやすい網式の掬い具よりも捕獲し易いからである。
【０００３】
通常、上記鉤式の掬い具は、柄の先端に取り付けられる棒状の主枝部材の先端に、放射状に張り出した複数の鉤部材を設けた鉤部を備えている。使用時には、至近距離まで鉤部を静かにイカの背面又は側部に近づけて、放射状に開口する上記鉤部の空間内にイカが掬える程度に収まったところを見計らい、柄を捕獲者の手元側へ迅速に引き寄せてイカを掬う。その際、複数の鉤部材がイカにしっかり引っ掛かっていると、イカが暴れても逃すことなく、掬うことができる。
【０００４】
ところで、こうした掬い具は、鉤部材に引っ掛けたイカを捕獲者の手元側に引き寄せる際、柄が水平に近い斜め方向を向いて引き寄せる場合があり、この際にイカが鉤部材から外れてしまうことがある。その解決策として、主枝部材の途中に可撓部を設けてイカの引きに追従して屈曲可能とすることにより、イカを鉤部材から外れにくくした掬い具が特許文献１に開示されている。
【先行技術文献】
【特許文献】
【０００５】
【特許文献１】特開２００１−３２１０５３
【発明の概要】
【発明が解決しようとする課題】
【０００６】
しかし、特許文献１の掬い具は、捕獲時の引張力に耐えうる程度にイカへ鉤部材が引っ掛かっている場合には有効であるが、捕獲時に急激にイカが暴れたりなどしてイカへ適切に鉤部材が引っ掛かっていない場合、捕獲時の引張力に耐え切れずにイカが身切れして鉤部の捕獲可能範囲から逃げられてしまうという問題があった。
【０００７】
そこで、本発明はこのような問題を解決するもので、イカ等をより確実かつ容易に捕獲できる掬い具を提供することを目的とする。
【課題を解決するための手段】
【０００８】
上記目的を達成するため、本第１発明では、柄（２）の先端に基端（１１）が取着されて柄（２）の延長方向へ延びる棒状の主枝部材（１）と、当該主枝部材（１）の先端外周の周方向複数位置に前記主枝部材（１）を含む面内で回動自在に基端（３１）が連結され、それぞれの自重ないしこれに印加される荷重に応じて互いに独立に、前記主枝部材（１）の延長方向における所定の角度位置と、反転させられて前記主枝部材（１）に沿う収納位置との間で回動させられる複数の棒状の支枝部材（３）と、各支枝部材（３）が反転し収納位置まで回動した状態で前記主枝部材（１）の周面に向くように前記各支枝部材（３）の少なくとも先端に取り付けられた鉤部材（５）とを備える。
【０００９】
本第１発明によれば、イカ等を掬い上げる際、イカ等の動きに応じて荷重が各支枝部材へ順次印加されると、各支枝部材はその荷重に応じて互いに独立に回動する。これにより、各支枝部材に設けられた鉤部材が第一段階でイカ等の適切な位置に引っ掛からなくとも、イカ等の動きに応じて回動する支枝部材に取り付けられた鉤部材が、次段階以降のいずれかの段階で適切な位置に引っ掛かかり、あるいは適切な位置でなかったとしても複数の支枝部材の各鉤部材がイカ等の複数位置に引っ掛かり、捕獲時の引張力に耐えうる状態を作り出すことで、熟練を要さず容易にイカ等を捕獲することができる。この場合、岸や船から離れた位置から、鉤部材に引っ掛けたイカ等を捕獲者の手元側に引き寄せる際には、柄（すなわち主枝部材）が水平に近い斜め方向を向くが、イカ等の掛かった各支枝部材はこれから受ける荷重に応じて下方へ自在に回動するから鉤部材からイカ等が外れてしまうことがなく、イカ等を確実に取り込むことができる。また、支枝部材を反転させて棒体に沿う収納位置に回動させると、全ての鉤部材が主枝部材の周面に向くから、鉤部材が他所に引っ掛かったたり手を傷つけたりすることなく、掬い具をスムーズに袋や筒等の収納具内へ収納することができる。
【００１０】
本第２発明では、前記主枝部材（１）の先端部（１２）外周に回転可能に円環状支持部材（４）を嵌装し、当該支持部材（４）に前記各支枝部材（３）の基端（３１）を連結する。
【００１１】
本第２発明によれば、各支枝部材は支持部材の回転に伴って主枝部材周りに旋回できるから、イカ等の動きに、より柔軟に追従でき、各支枝部材に設けられた鉤部材がよりイカ等に引っ掛かり易くなって、さらに容易にイカ等を捕獲することができる。
【００１２】
本第３発明では、前記各支枝部材（３）の長手方向に複数の前記鉤部材（５）を取り付ける。
【００１３】
本第３発明によれば、鉤部材を支枝部材の先端のみならず支枝部材の複数位置に設けることで、いずれかの鉤部材がイカ等に引っ掛かり易くなり、さらに容易にイカ等を捕獲することができる。
【発明の効果】
【００１４】
以上のように、本発明の掬い具によれば、イカ等をより確実かつ容易に捕獲することができる。
【図面の簡単な説明】
【００１５】
【図１】主枝部材を横倒しした状態での掬い具の全体斜視図である。
【図２】掬い具の主枝部先端の拡大斜視図である。
【図３】掬い具の主枝部先端の拡大横断面図である。
【図４】主枝部材を立てた状態での掬い具の全体斜視図である。
【図５】掬い具の使用状態を示す斜視図である。
【図６】岩場の空間内に落ち込んだイカを掬う場合の掬い具の側面図である。
【図７】掬い具の収納状態を示す斜視図である。
【発明を実施するための形態】
【００１６】
以下に説明する実施形態はあくまで一例であり、本発明の要旨を逸脱しない範囲で当業者が行う種々の設計的改良も本発明の範囲に含まれる。特に、以下は獲物がイカである場合について説明するが、必ずしもこれに限らない。
【００１７】
図１には掬い具の全体斜視図を示す。掬い具は棒状の主枝部材１を備えており、主枝部材１の基端１１は大径のネジ部となって、長い棒状の柄２の先端に捩込み結合されるようになっている。主枝部材１の先端１２外周には図２に示すように回転可能に円環状の支持部材４が嵌装してあり、これに複数の棒状支枝部材３の基端３１が連結されている。
【００１８】
すなわち、円環状の支持部材４には図３に示すように、径方向へ延びる溝開口４１が周方向へ等間隔で複数形成されており、これら溝開口４１内に各支枝部材３の扁平とした基端３１が挿入されている。各支枝部材３の基端３１にはこれを貫通する取付孔３２が設けられており、これら取付孔３２を連ねて針金部材６が挿通されている。針金部材６は支持部材４の外周に形成された溝条４２内に挿置されてこれを一周した後、両端が捩じ上げられて溝条４２内に固定されている。このような構造により、各支枝部材３は取付孔３２を中心に主枝部材１を含む面内で回動自在であるとともに、支持部材４の主枝部材１周りの回転に伴ってこれと一体に主枝部材１周りに旋回可能となっている。
【００１９】
主枝部材１を上下方向に位置させた状態（図４）で、各支枝部材３は自重によって主枝部材１を含む面内で下方へ回動し垂れ下がる（図中の実線）が、その基端部３１が支持部材４の外周４３に当接する（図２）ことによって、主枝部材２の延長方向において略３０度の角度位置に規制されて拡開状態となる。なお、各支枝部材３に下方からの荷重が印加すると、これらは図４の鎖線で示すように荷重に応じて自在に上方へ回動する（図中の矢印）。
【００２０】
各支枝部材３には先端と中間位置にそれぞれ鉤部材５が取り付けられている。各鉤部材５は二股となって先端が尖ったＵ字状をなす一対の鉤体で構成されている。各鉤体５は支枝部材３が主枝部材１の延長方向にある拡開状態では外方を向いている。これに対して、支枝部材３を、主枝部材１を含む面内で反転させて主枝部材１に沿う収納位置へ回動させると（図７）、各鉤部材５は内方の主枝部材２の周面に向く。
【００２１】
図５は掬い具の使用方法を説明する図である。捕獲者が柄２を把持して全ての支枝部材３が主枝部材１から所定角度で垂れ下がった状態で掬い具が水中のイカＭに届く距離になったとき、捕獲者は掬い具を水中に入れ、イカＭの側面に支枝部材３のいくつかを当接させる。イカは支枝部材３の接触を感知して自分の左右方向や上下方向、あるいはその複合方向たる斜め方向に逃れようと動き回る。そこでイカＭと接触している支枝部材３は、イカＭが左右方向に動いた場合はその動きに応じて主枝部材１周りに旋回するとともに、イカＭが上下方向へ動いた場合は、印加される荷重に応じて主枝部材１を含む面内で回動して、イカＭの動きに追従する。このとき捕獲者が柄２を軽く引き上げることでいずれかの鉤部材５がイカＭを下から引っ掛ける。
【００２２】
このように、鉤部材５を設けた複数の支枝部材３が、それぞれ主枝部材１の周方向とこれに直交する主枝部材１を含む面内で自在に回動するから、イカＭのあらゆる動きに追従することができる。そして、いずれかの鉤部材５がイカＭの一部に引っ掛かると、イカＭの当該部分は身動きができなくなり、鉤部材５が引っ掛かっていない残りの部分を動かすと、そこにも同様な構造でイカＭに追従する他の支枝部材３の鉤部材５が引っ掛かる。この間、捕獲者は柄２を軽くいずれかの方向に動かすだけで良く、イカＭが逃げようとすればするほど自らの動きに応じて追従してくる支枝部材３の複数の鉤部材５が引っ掛かった状態となる。
【００２３】
捕獲者は複数の鉤部材５がイカＭに引っ掛かった頃合いを見て、イカＭが捕獲可能な位置まで柄２を引き上げる。この掬い上げ時において、イカＭには複数の鉤部材５が引っ掛かっているが、イカＭは鉤部材５から身を外して掬い具から脱出しようとする。このときも、イカＭの動きにより印加される荷重に応じて支枝部材３が主枝部材１周りに旋回しあるいはこれと直交する方向へ回動してイカＭの動きに追従する。これによりイカＭに引っ掛かった鉤部材５はほとんど外れることがない。こうして捕獲者はきわめて容易にイカＭを掬うことができる。
【００２４】
図６は岩Ｒの間の空間Ｓ内に落ち込んだイカＭを掬う場合の掬い具の使用方法を説明する図である。イカＭを掬う場面は、必ずしも障害物の無い水中であるとは限らない。特に、捕獲者の立つ位置に近くなるほど、水中は浅瀬になり、そこには岩などの障害物が多く存在する。この場合、岩Ｒの間の空間Ｓ内に落ち込んだイカＭを特許文献１に示された従来の掬い具で掬おうとすると、放射状に張り出して固定された鉤部が上記空間Ｓ内に挿入ができない場合や、挿入ができても鉤部材５がイカＭに適切に引っ掛からないことがある。
【００２５】
これに対して本発明の掬い具では、柄２をイカＭに向かって押し下げたとき、岩Ｒによって上記空間Ｓ内への挿入を阻まれた支枝部材３は、岩Ｒから受ける押し上げ荷重に応じて跳ね上がる。他方、岩Ｒと干渉しない支枝部材３は自重によって上記空間Ｓ内に垂れ下がり、いずれかの鉤部材５がイカＭに引っ掛かってこれを掬うことができる。
【００２６】
また、岸や船から離れた位置から、鉤部材５に引っ掛けたイカ等を捕獲者の手元側に引き寄せる際には、柄２（すなわち主枝部材１）が水平に近い斜め方向を向いてしまうが、本実施形態の掬い具では、イカＭの掛かった各支枝部材３が独立に、イカＭから受ける荷重に応じて垂直下方に向けて自在に回動するから、鉤部材５からイカＭが外れてしまうことがなく、イカＭを確実に取り込む（掬う）ことができる。
【００２７】
図７は掬い具の収納状態を示す図である。この場合は、図に示すように全ての支枝部材３を反転回動させて主枝部材１に沿う収納位置まで回動させる。こうすると、全ての鉤部材５は尖った先端が主枝部材２の周面に向くから、この状態で掬い具を収納筒等に安全に収納することができ、持ち運びの際に自分や他人を傷つけるおそれがない。支枝部材３を反転回動させるには、主枝部材１を柄２から外してこれを先端を上にして立てると、すべての支枝部材３が自重によって主枝部材１に向けて反転回動して図７に示す状態となるから、これを収納筒等に収納する。
【符号の説明】
【００２８】
１…主枝部材、１１…基端、１２…先端部、２…柄、３…支枝部材、３１…基端、４…支持部材、５…鉤部材。
【図１】
2013223434.tif 000003
【図２】
2013223434.tif 000004
【図３】
2013223434.tif 000005
【図４】
2013223434.tif 000006
【図５】
2013223434.tif 000007
【図６】
2013223434.tif 000008
【図７】
2013223434.tif 000009